(57)【特許請求の範囲】
【請求項１】
主通信手段と、局所通信手段と、記憶手段と、表示手段と、操作入力手段と、制御手段を備えた携帯ブラウザ端末であって、
主通信手段は、公衆ネットワーク上のカラオケ利用者支援サーバーと無線通信可能とし、
局所通信手段は、近辺に存在するカラオケ装置と無線通信可能とし、
記憶手段は、アーティスト名を含むアーティストリストと、曲名と楽曲ＩＤを対応付けた曲目リストを格納し、
表示手段は、制御手段の制御により情報を表示し、
操作入力手段は、利用者による操作入力を受け付け可能とし、
制御手段は、利用者入力に応答して、アーティスト選択処理と、曲目選択処理とを可能とし、
アーティスト選択処理は、第１〜第３処理を実行し、
第１処理は、格納しているアーティストリストのアーティスト名を表示手段に表示させてアーティスト名の選択入力を受け付け、
第２処理は、選択されたアーティスト名の特定情報を含んだ検索クエリーを主通信手段によりカラオケ利用者支援サーバーに送信して、当該サーバーから曲名・楽曲ＩＤの集合であるレポートを受信し、
第３処理は、レポートに含まれる曲名を表示させて曲名選択と予約入力を受け付けて、選択された曲名の楽曲ＩＤを含んだ演奏予約信号を局所通信手段により送信させ、
曲目選択処理は、格納している曲目リストの曲名を表示させて曲名選択と予約入力を受け付けて、選択された曲名の楽曲ＩＤを含んだ演奏予約信号を局所通信手段により送信させる
携帯ブラウザ端末。
【請求項２】
主通信手段と、局所通信手段と、記憶手段と、表示手段と、操作入力手段と、制御手段を備えた携帯ブラウザ端末にインストールされるカラオケ目次本プログラムであって、
主通信手段は、公衆ネットワーク上のカラオケ利用者支援サーバーと無線通信可能とし、
局所通信手段は、近辺に存在するカラオケ装置と無線通信可能とし、
記憶手段は、アーティスト名を含むアーティストリストと、曲名と楽曲ＩＤを対応付けた曲目リストを格納し、
表示手段は、制御手段の制御により情報を表示し、
操作入力手段は、利用者による操作入力を受け付け可能とし、
カラオケ目次本プログラムは、制御手段に、利用者入力に応答して、アーティスト選択処理と、曲目選択処理とを行わせ、
アーティスト選択処理は、第１〜第３処理を実行し、
第１処理は、格納しているアーティストリストのアーティスト名を表示手段に表示させてアーティスト名の選択入力を受け付け、
第２処理は、選択されたアーティスト名の特定情報を含んだ検索クエリーを主通信手段によりカラオケ利用者支援サーバーに送信して、当該サーバーから曲名・楽曲ＩＤの集合であるレポートを受信し、
第３処理は、レポートに含まれる曲名を表示させて曲名選択と予約入力を受け付けて、選択された曲名の楽曲ＩＤを含んだ演奏予約信号を局所通信手段により送信させ、
曲目選択処理は、格納している曲目リストの曲名を表示させて曲名選択と予約入力を受け付けて、選択された曲名の楽曲ＩＤを含んだ演奏予約信号を局所通信手段により送信させる
カラオケ目次本プログラム。
【発明の詳細な説明】
【０００１】
【発明が属する技術分野】
この発明は、携帯ブラウザ端末をカラオケ装置の選曲予約ツールとして、好みのアーティストを登録して利用する技術に関する。
【０００２】
【発明の背景】
電子目次本と呼ばれる装置がある。たとえば特開平１０−３０１５８２号公報や特開平２０００−９９０４０号公報に開示されたものが代表的であるが、これはキーボードやタッチパネルなどの操作入力装置、ディスプレイ、ハードディスク装置などを備えたノートパソコンなどを用いて構成され、カラオケ装置とは赤外線インタフェースやＲＳ−２３２Ｃインタフェースなどで結合される。ハードディスク装置には各カラオケ楽曲の楽曲ＩＤを曲名、歌手名、作詞家、作曲家といった所定の検索キーにより分類整理したデータベースが格納されており、カラオケ利用者に多彩な検索機能を提供する。たとえば曲名による検索では、利用者が入力したかな表記による文字列がその曲名に含まれている楽曲を検索し、ディスプレイに一覧表示する。電子目次本を用いると、このような対話形式で簡単に利用者が選曲した楽曲の楽曲ＩＤをカラオケ装置に伝達して演奏予約することができる。
【０００３】
カラオケ利用者はまず上記の電子目次本を用いて歌いたい曲の楽曲ＩＤを調べてカラオケ装置に演奏の予約をする。しかし電子目次本はカラオケ店の客室にせいぜい１台ないし数台しか備わっていない。カラオケを大勢で利用する場合などには、電子目次本の取りあいになる場面が容易に想定される。たとえ各人があらかじめ歌う曲を決めておいたとしても状況は変わらない。このような装置には一度に入力できる人は一人だけであるし、あらかじめ入力作業をしておくこともできないからである。
【０００４】
【発明の開示】
近頃では、インターネットのブラウザ機能やＪＡＶＡアプレット実行機能などを搭載した高機能な携帯電話機が爆発的に普及している。カラオケを利用する人の多くがこのような携帯電話機を所有しており操作にも慣れている。そこで、各人が自己所有の携帯電話機を用いてあらかじめ楽曲の検索をしておいたり、これをそのまま用いて予約ができたりすると大変に便利である。しかも、大抵のカラオケ利用者は、音楽の好みや歌唱できる音域に合わせて、限られた数人の好きなアーティストの楽曲の中から選曲する傾向にあることから、アーティスト名を登録することができると、同じアーティストの多数の楽曲を登録しておく手間が省けて便利である。
【０００５】
この発明に係る携帯ブラウザ端末は、つぎの事項（１）〜（12）により特定され、カラオケ利用者支援サーバーを媒介にしてカラオケ装置の演奏予約ツールとして機能することを特徴とするものである。
（１）主通信手段と、局所通信手段と、記憶手段と、表示手段と、操作入力手段と、制御手段を備えた携帯ブラウザ端末であること
（２）主通信手段は、公衆ネットワーク上のカラオケ利用者支援サーバーと無線通信可能とすること
（３）局所通信手段は、近辺に存在するカラオケ装置と無線通信可能とすること
（４）記憶手段は、アーティスト名を含むアーティストリストと、曲名と楽曲ＩＤを対応付けた曲目リストを格納すること
（５）表示手段は、制御手段の制御により情報を表示すること
（６）操作入力手段は、利用者による操作入力を受け付け可能とすること
（７）制御手段は、利用者入力に応答して、アーティスト選択処理と、曲目選択処理とを可能とすること
（８）アーティスト選択処理は、第１〜第３処理を実行すること
（９）第１処理は、格納しているアーティストリストのアーティスト名を表示手段に表示させてアーティスト名の選択入力を受け付けること
（10）第２処理は、選択されたアーティスト名の特定情報を含んだ検索クエリーを主通信手段によりカラオケ利用者支援サーバーに送信して、当該サーバーから曲名・楽曲ＩＤの集合であるレポートを受信すること
（11）第３処理は、レポートに含まれる曲名を表示させて曲名選択と予約入力を受け付けて、選択された曲名の楽曲ＩＤを含んだ演奏予約信号を局所通信手段により送信させること
（12）曲目選択処理は、格納している曲目リストの曲名を表示させて曲名選択と予約入力を受け付けて、選択された曲名の楽曲ＩＤを含んだ演奏予約信号を局所通信手段により送信させること
【０００６】
また、第２の発明に係る携帯ブラウザ端末用のカラオケ目次本プログラムは、つぎの事項（21）〜（32）により特定されるものである。
（21）主通信手段と、局所通信手段と、記憶手段と、表示手段と、操作入力手段と、制御手段を備えた携帯ブラウザ端末にインストールされるカラオケ目次本プログラムであること
（22）主通信手段は、公衆ネットワーク上のカラオケ利用者支援サーバーと無線通信可能とすること
（23）局所通信手段は、近辺に存在するカラオケ装置と無線通信可能とすること
（24）記憶手段は、アーティスト名を含むアーティストリストと、曲名と楽曲ＩＤを対応付けた曲目リストを格納すること
（25）表示手段は、制御手段の制御により情報を表示すること
（26）操作入力手段は、利用者による操作入力を受け付け可能とすること
（27）カラオケ目次本プログラムは、制御手段に、利用者入力に応答して、アーティスト選択処理と、曲目選択処理とを行わせること
（28）アーティスト選択処理は、第１〜第３処理を実行すること
（29）第１処理は、格納しているアーティストリストのアーティスト名を表示手段に表示させてアーティスト名の選択入力を受け付けること
（30）第２処理は、選択されたアーティスト名の特定情報を含んだ検索クエリーを主通信手段によりカラオケ利用者支援サーバーに送信して、当該サーバーから曲名・楽曲ＩＤの集合であるレポートを受信すること
（31）第３処理は、レポートに含まれる曲名を表示させて曲名選択と予約入力を受け付けて、選択された曲名の楽曲ＩＤを含んだ演奏予約信号を局所通信手段により送信させること
（32）曲目選択処理は、格納している曲目リストの曲名を表示させて曲名選択と予約入力を受け付けて、選択された曲名の楽曲ＩＤを含んだ演奏予約信号を局所通信手段により送信させること
【０００７】
【発明の実施の形態】
＝＝＝システム概要＝＝＝
図１にはこの発明の一実施例にかかるカラオケ利用者支援サーバーを用いたシステムの構成例を示している。カラオケ利用者支援サーバー１はカラオケ事業者により運営されるコンピュータである。このサーバー１は、ウェブサーバーの機能も備えており、ＩＳＰなどを介してインターネット２に接続されている。カラオケ利用者支援サーバー１には、楽曲索引データベース３が備わっており、楽曲名やアーティスト名などのカラオケ装置４で利用できる楽曲の関連データが楽曲ＩＤをキーにして集約され管理されている。そして、インターネット２に接続された携帯電話機５からインターネット２を介して送られてくるアクセス要求に応じて、楽曲索引データベース３に蓄積されているカラオケ楽曲関連データを閲覧させたり選曲させたりするウェブコンテンツが稼働している。なお、カラオケ装置４のカラオケデータベースの更新にともなってサーバー１の楽曲索引データベース３の内容も更新されるようになっている。たとえば通信カラオケ装置においては、カラオケホスト装置との適宜な通信によって最新のカラオケ楽曲の内容を反映したデータが蓄積管理されている。
【０００８】
携帯電話機５にはＩｒＤＡインタフェースが備わっている。また、ＪＡＶＡアプレット実行機能が備わっており、必要に応じてカラオケ利用者支援サーバー１からプログラムを受け取って実行することが可能である。
なお、カラオケ利用者支援サーバー１は、インターネット２を介さずに移動通信網６に直接接続され、携帯電話機５と移動通信網６を介してデータ通信する構成であってもよい。
また、携帯電話機５に備える無線インタフェースはＩｒＤＡインタフェースに限定するものではない。すなわち、携帯電話機５からカラオケ装置４へ送信する無線信号は、ＩｒＤＡ信号に限定するものではなく、ブルートゥース信号やリモコン信号（送信のみの赤外線信号）など、他の形式の無線信号であってもよい。
【０００９】
＝＝＝楽曲検索メニュー＝＝＝
利用者は、カラオケで歌いたい楽曲やそのアーティストを登録しておくために、所有の携帯電話機５でインターネット２を介してカラオケ利用者支援サーバー１にアクセスする。このサーバー１を利用するための目次本プログラムはサーバー１上に用意されており、アクセスした携帯電話機５はここからダウンロードして利用することが可能である。この目次本プログラムにより、携帯電話機５のディスプレイに利用者との対話インタフェースが提供される。
カラオケ利用者支援サーバー１にアクセスした携帯電話機５のディスプレイには、まず図２に例示したように、楽曲検索のためのメニューが表示される。この例では、「アーティスト名検索」「曲名検索」「Ｍｙ目次本」の３つのメニューが用意されている。各々の内容については以下に述べる。
【００１０】
＝＝＝曲名検索＝＝＝
利用者が前述の楽曲検索メニューから「曲名検索」を選択してクリックすると、楽曲名による楽曲検索メニューが表示される。そして、目的の楽曲名の最初の１文字をひらがな入力すると、楽曲索引データベース３に含まれる楽曲名のうち、その文字で始まるものが５０音順で一覧的に表示される。同様に、最初の２文字を入力すれば、その２文字で始まる楽曲名が一覧的に表示される。
【００１１】
なお、電子目次本と同様に、曲名による検索の他にも作詞家、作曲家、歌い出しなどの検索メニューがあってもよい。これらのメニューからいずれかを選択して最初に1文字をひらがな入力すると、メニューで選択したものがその文字でははじまる楽曲が楽曲索引データベース３から検索され、携帯電話機５のディスプレイに一覧的に表示される。
【００１２】
利用者が探していた楽曲にたどり着いてこれを選択する操作を行うと、カラオケ演奏予約を行うのか、あるいは好みの楽曲として登録する（「ＭｙＳｏｎｇ登録」を行う）のかを利用者に選択させるようになっている。
ここで利用者がカラオケ演奏予約を行うことを選択する操作を行うと、この楽曲の楽曲ＩＤを含んだＩｒＤＡ信号がカラオケ装置４に向けて発信される。
【００１３】
＝＝＝マイソング文書の作成＝＝＝
上記の手順において、利用者が「ＭｙＳｏｎｇ登録」を選択してクリックすると、カラオケ利用者支援サーバー１では、好みの楽曲としてその楽曲ＩＤをハイパーリンク形式で含むマイソング文書を作成（携帯電話機５が既にマイソング文書を保存していた場合には更新）する。このときに利用者に優先順位も入力させるようにして、優先順位に従った楽曲リストになるようにマイソング文書を作成してもよい。携帯電話機５は、このマイソング文書を受信すると不揮発性のメモリに記録する。
【００１４】
＝＝＝マイアーティスト文書の作成＝＝＝
利用者が前述の楽曲検索メニューから「アーティスト名検索」を選択してクリックすると、アーティスト名による楽曲検索メニューが表示される。そして、目的のアーティスト名の最初の１文字をひらがな入力すると、楽曲索引データベース３に含まれるアーティスト名のうち、その文字で始まるものが５０音順で一覧的に表示される。同様に、最初の２文字を入力すれば、その２文字で始まるアーティスト名が一覧的に表示される。
【００１５】
利用者が探していたアーティスト名にたどり着いてこれを選択してクリックすると、カラオケ利用者支援サーバー１は、そのアーティスト名を含んだ楽曲を検索するための検索クエリーを作成し、管理する楽曲索引データベース３を駆使して検索する。また、作成した検索クエリーの文字列を一時記憶しておく。
【００１６】
カラオケ利用者支援サーバー１は、楽曲索引データベース３から検索された楽曲のそれぞれの楽曲ＩＤをハイパーリンク形式で含んだ楽曲リスト文書を作成し、携帯電話機５に返送する。この楽曲リスト文書は、携帯電話機５のディスプレイに、図３に例示したように検索されたそのアーティストの楽曲名のリストとともに、マイアーティスト文書に登録するために選択する「Ｍｙアーティスト登録」を表示させるものである。
【００１７】
ここで利用者が「Ｍｙアーティスト登録」を選択してクリックすると、サーバー１はそのアーティスト用の（そのアーティスト名を含んだ）楽曲検索クエリー文字列をハイパーリンク形式で含んだマイアーティスト文書を作成（携帯電話機５が既にマイアーティスト文書を保存していた場合には更新）し、携帯電話機５に送達する。携帯電話機５は、このマイアーティスト文書を受信すると不揮発性のメモリに記録する。
【００１８】
＝＝＝マイソング文書による選曲＝＝＝
カラオケ装置４の近くにいる利用者が、前述の手順によりマイアーティスト文書やマイソング文書を記録した携帯電話機５において目次本プログラムを起動すると、前述のとおり図２のような楽曲検索のためのメニューが表示される。ここで「Ｍｙ目次本」を選択すると、ディスプレイには、前述のマイアーティスト文書とマイソング文書に基づいて、登録したアーティスト名（「Ｍｙアーティスト」）と登録した楽曲名（「ＭｙＳｏｎｇ」）とが一覧的に表示される。
【００１９】
「ＭｙＳｏｎｇ」にある楽曲名のそれぞれには、その楽曲ＩＤがハイパーリンク形式で含まれている。利用者がカーソル移動などによってこのリストからある楽曲名を選択してクリックすると、この楽曲の楽曲ＩＤを含んだＩｒＤＡ信号がカラオケ装置４に向けて発信される。カラオケ装置４では、この楽曲ＩＤをリクエスト楽曲の待ち行列に登録する。そして、待ち行列の順番に従って楽曲の演奏処理を行う。
【００２０】
＝＝＝マイアーティスト文書による選曲＝＝＝
上記において、「Ｍｙアーティスト」にあるアーティスト名のそれぞれには、そのアーティスト名を含んだ楽曲の検索クエリーの文字列がハイパーリンク形式で含まれている。
【００２１】
利用者はカーソルを移動したりして、「Ｍｙアーティスト」として表示されているアーティスト名の中からあるアーティスト名を選択してクリックすると、カラオケ利用者支援サーバー１に向けてこのアーティスト名を含んだ楽曲の検索クエリーが発行される。これを受信したサーバー１は、楽曲索引データベース３から、このアーティスト名を含んだ楽曲のデータを取り出す。そしてそれぞれの楽曲ＩＤをハイパーリンク形式で含んだ楽曲リスト文書を作成し、携帯電話機５に返送する。
【００２２】
これを受信した携帯電話機５のディスプレイには、このアーティストの楽曲名が一覧的に表示される。それぞれの楽曲名には楽曲ＩＤがハイパーリンク形式で含まれている。利用者がカーソル移動などによってこのリストからある楽曲名を選択してクリックすると、携帯電話機５からこの楽曲の楽曲ＩＤを含んだＩｒＤＡ信号がカラオケ装置４に向けて発信される。カラオケ装置４では、この楽曲ＩＤをリクエスト楽曲の待ち行列に登録する。
【００２３】
【発明の効果】
この発明にかかるカラオケ装置によれば、カラオケ利用者の多くが所持する携帯電話機がカラオケ装置専用のリモコン送信器と同様に利用できる。利用者は、自分の携帯電話機を用いて、自宅にいるときや待ち合わせの時間などを利用して新しい曲をあらかじめ調べて携帯電話機に記憶しておけるだけでなく、自分の十八番を登録しておくこともできるので、カラオケへ行って歌いたい楽曲をすぐに効率よく演奏予約することができる。いつでも思いついたときに追加や削除も可能なので、カラオケを利用しようとする意欲を持続しやすく、カラオケ利用者が増大する効果も期待できる。
【００２４】
さらに、好みのアーティストを自分の携帯ブラウザ端末に登録しておくことができるので、同じアーティストの楽曲を数多く登録する手間を省ける。またカラオケ利用時には、好みのアーティストの中から歌いたいアーティストを指定すれば、そのアーティストの楽曲を幅広く選曲できる。すなわち、そのアーティストの楽曲の中で、おなじみの楽曲だけでなく、めざましい勢いで生み出されている最新曲や新たにカラオケに加わった楽曲の中からも簡単に素早く選曲することができる。しかも、これらの最新曲や新カラオケ楽曲をあらかじめ登録しておく必要がないので、積極的に新曲を取り入れようとする人でなくても気軽に選曲してレパートリーを増やすチャンスに巡り合える。そのため、さらにカラオケ利用者が増大する効果を期待できる。
【図面の簡単な説明】
【図１】本発明の一実施例に係るシステムの構成例である。
【図２】本発明の一実施例に係る楽曲検索の画面表示例を示した図である。
【図３】本発明の一実施例に係るアーティスト名検索の画面表示例を示した図である。
【図４】本発明の一実施例に係る「Ｍｙ目次本」の画面表示例を示した図である。
【符号の説明】
１  中央処理装置
２  ハードディスク装置
３  通信制御装置
４  利用者インタフェース装置
５  音楽生成装置
６  音響装置
７  ディスプレイ
８  映像処理装置
９  光ディスク装置
【図１】
0003727600.tif 000002
【図２】
0003727600.tif 000003
【図３】
0003727600.tif 000004
【図４】
0003727600.tif 000005